(57)【特許請求の範囲】
【請求項１】
ＬＥＤ光源の調光を制御するためのコントローラであって、
整流された電圧を受け取る機能を有する機能を有する検出ピンと、
前記整流された電圧を示す入力信号を受け取る機能を有する入力ピンと、
前記オン／オフスイッチ調光器の動作を示すモニタ信号を受け取る機能を有するモニタピンと、を備え、
当該コントローラは、
前記検出ピンが受け取った前記整流された電圧をモニタし、前記整流された電圧が、ＴＲＩＡＣ調光器から到来したものであるのか、またはオン／オフスイッチ調光器から到来したものであるのかを検出し、
前記整流された電圧が前記ＴＲＩＡＣ調光器から到来するものであれば、前記入力信号に従って前記ＬＥＤ光源に直列接続されたスイッチを制御することにより、前記ＬＥＤ光源の調光を制御し、
前記整流された電圧が前記オン／オフスイッチ調光器から到来するものであれば、前記モニタ信号に従って前記スイッチを制御することにより、前記ＬＥＤ光源の調光を制御するように構成されたコントローラ。
【請求項２】
ブリード制御ピンをさらに備え、
前記整流された電圧が前記ＴＲＩＡＣ調光器から到来するものであれば、前記ブリード制御ピンを通じて、前記ＴＲＩＡＣ調光器の保持電流を維持するための電流経路を導通させる、請求項１記載のコントローラ。
【請求項３】
当該コントローラは、前記整流された電圧が前記ＴＲＩＡＣ調光器から到来するものであれば、前記整流された電圧の導通角を計算することにより前記ＬＥＤ光源の調光を制御するように構成された請求項１記載のコントローラ。
【請求項４】
前記整流された電圧の平均を示す平均信号を受け取る機能を有する平均信号ピンを更に備え、当該コントローラは、前記整流された電圧が前記ＴＲＩＡＣ調光器から到来するものであれば、前記入力信号を前記平均信号と比較することにより、前記ＬＥＤ光源の調光を制御するように構成された請求項１記載のコントローラ。
【請求項５】
当該コントローラは、パルス幅変調信号を発生させるように構成され、当該コントローラは、前記パルス幅変調信号の第１ステートの期間中、前記スイッチのターンオンおよびターンオフを交互に実施させ、前記スイッチは、前記パルス幅変調信号の第２ステートの期間中、オフ状態を維持するように構成された請求項１記載のコントローラ。
【請求項６】
前記パルス幅変調信号は、前記入力信号を、前記整流された電圧の平均を示す平均信号と比較することにより発生される請求項５記載のコントローラ。
【請求項７】
第１ブリード制御ピンと第２ブリード制御ピンとをさらに備え、
前記整流された電圧が前記ＴＲＩＡＣ調光器から到来するものであれば、前記第１ブリード制御ピンを通じて、前記ＴＲＩＡＣ調光器の保持電流を維持するための第１電流経路を導通させ、
前記整流された電圧が前記ＴＲＩＡＣ調光器から到来するものであれば、前記第２ブリード制御ピンを通じて、前記ＴＲＩＡＣ調光器の前記保持電流を維持するための第２電流経路を導通させ、
前記第１ブリード制御ピンは、前記パルス幅変調信号の第１ステートの期間中、前記第１電流経路を導通させる機能を有し、前記第２ブリード制御ピンは、前記パルス幅変調信号の前記第２ステートの期間中、前記第２電流経路を導通させる機能を有する請求項５記載のコントローラ。
【請求項８】
参照信号を受け取って、前記第１電流経路を導通させるためのスイッチを制御する出力を、前記第１ブリード制御ピンを介して提供する第１誤差増幅器と、
前記参照信号を受け取って、前記第２電流経路を導通させるためのスイッチを制御する出力を、前記第２ブリード制御ピンを介して提供する第２誤差増幅器と、を更に備え、
前記第１および第２誤差増幅器は、前記整流された電圧が前記オン／オフスイッチ調光器から到来するものであれば、無効化される請求項７記載のコントローラ。
【請求項９】
電流感知ピンと、
前記電流感知ピンを介して受け取った、ＬＥＤ光源の電流を示す感知信号と所定の参照値とを比較する比較器と、を更に備え、
前記スイッチは、前記比較器の出力とパルス信号とに従って、前記パルス幅変調信号の前記第１ステートの期間中、ターンオンおよびオフされる請求項５記載のコントローラ。
【請求項１０】
電流感知ピンと、
前記電流感知ピンを介して受け取った、ＬＥＤ光源の電流を示す感知信号と調光信号とを比較する機能を有する増幅器と、
を更に備え、
前記調光信号のレベルは、前記オン／オフスイッチ調光器の前記動作により定められる請求項５記載のコントローラ。
【請求項１１】
前記増幅器の出力を受け取るサンプルホールド回路と、
前記サンプルホールド回路の出力と鋸歯状信号とを比較する比較器と、を更に備え、
前記スイッチは、前記比較器の出力に従って前記パルス幅変調信号の前記第１ステートの期間中、ターンオンおよびオフされる請求項１０記載のコントローラ。
【請求項１２】
前記検出ピンに接続され、前記整流された電圧が、第１プリセット電圧よりも大きく、且つ、第２プリセット電圧よりも小さければ、クロック信号を発生させる機能を有するクロック発生器と、
前記クロック発生器に接続され、前記クロック信号のパルスをカウントする機能を有するカウンタと、
前記カウンタに接続され、前記カウンタのカウント値と参照値とを比較することにより、選択信号を発生させる機能を有する比較器を更に備え、
前記選択信号は、前記整流された電圧が、前記ＴＲＩＡＣ調光器から到来するものであるのか、または前記オン／オフスイッチ調光器から到来するものであるのかを示す、
請求項１記載のコントローラ。
【請求項１３】
ＡＣ電圧を整流して、整流された電圧を発生させる機能を有する整流器と、
前記整流器に接続され、前記整流された電圧を受け取って、光源への調整された電圧を発生させる電力コンバータと、
前記ＡＣ電圧が、ＴＲＩＡＣ調光器から到来するものであるのか、またはオン／オフスイッチ調光器から到来するものであるのかを検出し、前記光源の調光を制御するように前記電力コンバータを制御する機能を有する調光コントローラと、を備え、
前記調光コントローラは、前記ＡＣ電圧が前記ＴＲＩＡＣ調光器から到来するものであれば、前記整流された電圧に従って、前記光源に直列接続されたスイッチを制御することにより前記光源の調光を制御し、前記ＡＣ電圧が前記オン／オフスイッチ調光器から到来するものであれば、前記オン／オフスイッチ調光器の動作に従って前記スイッチを制御することにより前記光源の調光を制御する機能を有するシステム。
【請求項１４】
前記調光コントローラは、前記整流された電圧が前記ＴＲＩＡＣ調光器から到来するものであれば、前記整流された電圧を示す入力信号を、前記整流された電圧の平均を示す平均信号と比較することにより、前記光源の調光を制御する機能を有する請求項１３記載のシステム。
【請求項１５】
前記調光コントローラは、前記整流された電圧がＴＲＩＡＣ調光器から到来するものであれば、前記整流された電圧の導通角を計算することにより、前記光源の調光を制御する機能を有する請求項１３記載のシステム。
【請求項１６】
前記調光コントローラは、パルス幅変調信号を発生させる機能を有し、前記スイッチは、前記パルス幅変調信号の第１ステートの期間中、そのターンオンおよびターンオフが交互に実施され、前記スイッチは、前記パルス幅変調信号の第２ステートの期間中、オフ状態を維持する請求項１３記載のシステム。
【請求項１７】
前記調光コントローラは、前記整流された電圧を示す入力信号を、前記整流された電圧の平均を示す平均信号と比較することにより、前記パルス幅変調信号を発生させる機能を有する請求項１６記載のシステム。
【請求項１８】
前記調光コントローラは、前記パルス幅変調信号の前記第１ステートの期間中、前記ＴＲＩＡＣ調光器の保持電流を維持するための第１電流経路を有効化する機能を有し、前記調光コントローラは、前記パルス幅変調信号の前記第２ステートの期間中、前記ＴＲＩＡＣ調光器の前記保持電流を維持するための第２電流経路を有効化する機能を有する請求項１６記載のシステム。
【請求項１９】
前記調光コントローラは、前記光源を通じて流れる電流を示す感知信号と所定の参照信号とを比較する機能を有し、前記スイッチは、前記感知信号と前記所定の参照信号との比較結果およびパルス信号に従って、前記パルス幅変調信号の前記第１ステートの期間中、ターンオンおよびオフされる請求項１６記載のシステム。
【請求項２０】
前記調光コントローラは、前記光源を通じて流れる電流を示す感知信号と調光信号とを比較する機能を有し、前記調光信号のレベルは、前記オン／オフスイッチ調光器の前記動作により定められ、前記スイッチは、前記感知信号と前記調光信号との比較結果および鋸歯状信号に従って、前記パルス幅変調信号の前記第１ステートの期間中、ターンオンおよびオフされる請求項１６記載のシステム。
【請求項２１】
前記調光コントローラは、
前記整流された電圧が、第１プリセット電圧よりも大きく、且つ、第２プリセット電圧よりも小さければ、クロック信号を発生させる機能を有するクロック発生器と、
前記クロック発生器に接続され、前記クロック信号のパルスをカウントする機能を有するカウンタと、
前記カウンタに接続され、前記カウンタのカウント値と参照値とを比較することにより、選択信号を発生させる機能を有する比較器を更に備え、
前記選択信号は、前記ＡＣ電圧が、前記ＴＲＩＡＣ調光器から到来するものであるのか、または前記オン／オフスイッチ調光器から到来するものであるのかを示す、
請求項１３記載のシステム。
【発明の詳細な説明】
【技術分野】
【０００１】
本発明は、光源の調光制御のための回路及び方法に関する。
【背景技術】
【０００２】
発光ダイオード(Light-Emitting Diode; LED)を利用した一般照明が開発されている。ＬＥＤは、蛍光灯や白熱灯のような従来の光源を凌ぐ多くの利点を提供する。例えば、ＬＥＤの電力消費は極めて小さい。光を発生するのに十分に高い温度に金属フィラメントを加熱する多くの電流を変換する白熱灯電球のような従来の光源とは違って、ＬＥＤは、実際上、熱を発生せず、照明の等価なルーメンを発生させるのにエネルギーのごく一部しか利用しない。例えば、電球(light bulb)の用途では、ＬＥＤ光源は、概ね６０ワットを消費する白熱灯と比較して、同じ光度(brightness)を発生させるのに７ワット未満しか消費しない。Ｔ−８チューブ(T-8 tube)の用途では、２０ワット未満しか消費しないＬＥＤ光源によって発生される光度でさえも、概ね６０ワットを消費する蛍光灯によって発生される光度をしのぐ。
【０００３】
ＬＥＤの稼動寿命(operational life)は、５００００時間または１０００００時間に延ばされた。これに対し、白熱灯電球の平均寿命は概ね５０００時間に過ぎず、蛍光灯の平均寿命は概ね１５０００時間である。さらに、ＬＥＤは、水銀や他の有害な材料または化学物質を含んでおらず、白熱灯または蛍光灯とは違って紫外線（ＵＶ）を発生させない。
【０００４】
光源の光度を調整するために調光技術(dimming techniques)が使用される。例えば、電力コンバータは、ＡＣ電源からＡＣ電圧を受電し、ＬＥＤ光源に電力を供給するためのＤＣ電圧を発生させる。コントローラは、ＬＥＤ光源の調光を制御するために、上記ＡＣ電源と上記電力コンバータとの間に接続された調光器(dimmer)により上記電力コンバータの出力電力を調整する。別の調光技術を使用することができる。例えば、調光器は、ＴＲＩＡＣ調光器またはオン／オフスイッチ調光器である。従って、異なるタイプの調光器について、コントローラは異なる構成を有し、これにより、異なる調光技術においてＬＥＤに電力を供給するために使用されるコントローラの柔軟性に影響を及ぼす。
【発明の概要】
【課題を解決するための手段】
【０００５】
一実施形態において、光源の調光を制御するためのコントローラは、検出ピン、入力信号ピン、モニタピンを備える。上記検出ピンは、整流された電圧をモニタし、上記整流された電圧がＴＲＩＡＣ調光器またはオン／オフスイッチ調光器から到来するものであるかどうかを検出する機能を有する。上記入力信号ピンは、上記整流された電圧を示す入力信号を受け取る機能を有し、上記コントローラは、上記整流された電圧がＴＲＩＡＣ調光器から到来するものであれば、上記入力信号に従って上記光源の調光を制御する。上記モニタピンは、上記オン／オフスイッチ調光器の動作を示すモニタ信号を受け取る機能を有し、上記コントローラは、上記整流された電圧がオン／オフスイッチ調光器から到来するものである場合、上記モニタ信号に従って上記光源の調光を制御する。
【図面の簡単な説明】
【０００６】
【図１】本発明の一実施形態による光源駆動回路のブロック図である。
【図２Ａ】本発明の一実施形態による、ＴＲＩＡＣ調光器を利用した光源駆動回路の構成図である。
【図２Ｂ】本発明の一実施形態による、図２Ａにおける光源駆動回路に関連した波形図である。
【図３Ａ】本発明の一実施形態による、オン／オフスイッチ調光器を利用した光源駆動回路の構成図である。
【図３Ｂ】本発明の一実施形態による、オン／オフスイッチ調光器がオン状態である場合の図３Ａにおける光源駆動回路に関連した波形図である。
【図４】本発明の一実施形態による、光源駆動回路の回路図である。
【図５】本発明の一実施形態による、図４における制御ブロックの例を示す図である。
【図６】本発明の一実施形態による、整流された電圧がＴＲＩＡＣ調光器またはオン／オフスイッチ調光器から到来するものであるかどうかを判断するための方法例のフローチャートである。
【図７Ａ】本発明の一実施形態による、第１モードで動作する図４における調光コントローラに関連した信号の波形図である。
【図７Ｂ】本発明の一実施形態による、第２モードで動作する図４における調光コントローラに関連した信号の波形図である。
【発明を実施するための形態】
【０００７】
本発明の実施形態を詳細に説明する。本発明は、これらの実施形態と共に説明されるが、これらの実施形態は本発明を限定することを意図するものではない。逆に、本発明は、代替、変形、均等物にも及ぶものであり、それは、添付の特許請求の範囲によって規定される本発明の範囲及び精神の範囲内に含まれる。
【０００８】
また、以下の本発明の詳細な説明において、多くの特定の詳細事項は、本発明の完全な理解のために述べられる。しかしながら、当業者であれば、本発明は、これらの特定の詳細事項を用いることなく実施できることを理解するであろう。他の例では、公知の方法、手順、構成要素、回路について、本発明の態様を不必要に不明確にしないために、詳細には説明しない。
【０００９】
図１は、本発明の一実施形態による光源駆動回路１００のブロック図を示す。光源駆動回路１００は、例えばＡＣ電源などの電源１０２と、ＴＲＩＡＣ調光器１０４またはオン／オフスイッチ調光器１０６からのＡＣ電圧を整流し、整流された電圧ＶＲＥＣを供給するための整流器１０８と、上記整流された電圧ＶＲＥＣを受け取って、光源１１８への調整(regulate)された電力を発生させるための電力コンバータ１１２とを備える。有利には、調光コントローラ１１０は、整流器１０８からの整流された電圧ＶＲＥＣをモニタして、上記ＡＣ電圧がＴＲＩＡＣ調光器１０４から到来するものであるか、またはオン／オフスイッチ調光器１０６から到来するものであるかどうかを検出する。上記調光器のタイプを検出すると、調光コントローラ１１０は、上記調光器のタイプに応じて光源１１８の調光を制御するために、電力コンバータ１１２の出力電力を調整する。例えば、もしＴＲＩＡＣ調光器１０４が検出されれば、調光コントローラ１１０は、ＴＲＩＡＣ調光器１０４の動作に従って上記調光器を制御し、そして、ＴＲＩＡＣ調光器１０４の保持電流(holding current)を維持するために電流経路１１４を有効化(enable)する。もしオン／オフスイッチ調光器１０６が検出されれば、調光コントローラ１１０は、オン／オフスイッチ調光器１０６の動作に従って上記調光器を制御する。
【００１０】
図２Ａは、本発明の一実施形態による、ＴＲＩＡＣ調光器１０４を利用した光源駆動回路２００の構成を示す。図１と同様の符号が付された要素は同様の機能を有する。光源駆動回路２００は、例えばＡＣ電源などの電源１０２と、電源１０２から入力電圧ＶＩＮを受け取ってＡＣ電圧ＶＴＲＩＡＣを発生させるためのＴＲＩＡＣ調光器１０４と、ＴＲＩＡＣ調光器１０４からのＡＣ電圧ＶＴＲＩＡＣを整流して、整流された電圧ＶＲＥＣを供給するための整流器１０８と、上記整流された電圧ＶＲＥＣを受け取って光源１１８への調整(regulate)された電力を発生させるための電力コンバータ１１２とを備える。有利には、調光コントローラ１１０は、整流器１０８から整流された電圧ＶＲＥＣを示す信号を受け取り、整流器１０８に受け取られたＡＣ電圧がＴＲＩＡＣ調光器１０４から到来するものであることを判断する。調光コントローラ１１０は、電力コンバータ１１２の出力電力を調整し、従って光源１１８の調光を制御する。一実施形態において、調光コントローラ１１０は、さらに、ＴＲＩＡＣ調光器１０４の保持電流を維持するために電流経路１１４を導通させる機能を有する。
【００１１】
図２Ａの例では、ＴＲＩＡＣ調光器１０４は、電源１０２と整流器１０８との間に接続されたトライアック(triac)２０６を備える。トライアック２０６は、第１端子Ａ１、第２端子Ａ２、ゲートＧを備える。ＴＲＩＡＣ調光器１０４は、更に、キャパシタ２１０に直列接続された可変抵抗(adjustable resistor)２０８と、一端がキャパシタ２１０に接続されると共に他端がトライアック２０６のゲートに接続されたダイアック(diac)２１２を備える。トライアック２０６は、トリガされたときに電流を何れの方向にも流すことができる双方向性スイッチである。トライアック２０６は、ゲートＧに印加される正電圧または負電圧によってトリガされる。一旦トリガされれば、トライアック２０６は、それを流れる電流が、閾値、即ち保持電流ＩＨ以下に低下するまで継続して導通し、換言すれば、トライアック２０６がトリガされた後は、トライアック２０６の導通状態を維持するために、トライアック２０６を流れる電流が上記保持電流ＩＨ以上に維持される。
【００１２】
図２Ｂは、本発明の一実施形態による図２Ａにおける光源駆動回路に関連した波形を示す。更に詳しくは、図２Ｂは、ＡＣ入力電圧ＶＩＮと、トライアック２０６の端子Ａ１と端子Ａ２との間の電圧ＶＡ２−Ａ１、ダイアック２１２を流れる電流ＩＤＩＡＣ、ＴＲＩＡＣ調光器１０４により供給されるＡＣ電圧ＶＴＲＩＡＣ、整流器１０８からの整流された電圧ＶＲＥＣの波形を示す。図２Ｂの例では、ＡＣ入力電圧ＶＩＮは正弦関数波形を有している。図２Ｂは、図２Ａと組み合わせて説明される。
【００１３】
最初に、トライアック２０６はターンオフされ、そして端子Ａ１と端子Ａ２との間の電圧ＶＡ２−Ａ１は、ＡＣ入力電圧ＶＩＮと共に増加する。時刻Ｔ１で、キャパシタ２１０の端子間の電圧がダイアック２１２をターンオンさせる。ダイアック２１２は、トライアック２０６のゲートＧに印加される電流パルスを発生させる。トライアック２０６は、上記電流パルスに応答してターンオンされる。結果として、ＡＣ入力電圧ＶＩＮは、整流器１０８に受け渡され、電流がトライアック２０６を通じて流れる。ＡＣ入力電圧ＶＩＮの１番目の半周期の終端近傍の時刻Ｔ２でトライアック２０６はターンオフされ、なぜならば、トライアック２０６を流れる電流がトライアック２０６の保持電流を下回るからである。入力電圧ＶＩＮの２番目の半周期で、キャパシタ２１０の端子間の電圧がダイアック２１２をターンオンさせると、トライアック２０６が再びターンオンされる。可変抵抗２０８の増加または減少により、キャパシタ２１０を充電する電流は、ダイアック２１２が異なる位相角で導通されるように変化する。その結果、トライアック２０６は、可変抵抗２０８の抵抗値に依存する可変導通角(adjustable conducting angle)でターンオンされる。整流器１０８は、ＡＣ電圧ＶＴＲＩＡＣの負の部分を、対応する正の部分に変換して、整流された電圧ＶＲＥＣを発生させる。
【００１４】
図３Ａは、本発明の一実施形態による、オン／オフスイッチ調光器を利用した光源駆動回路３００の構成を示す。図１と同じ符号が付された要素は同様の機能を有する。図３Ｂは、本発明の一実施形態による、図３Ａにおけるスイッチ３０２がオン状態である場合の図３Ａにおける光源駆動回路３００に関連した波形を示す。図３Ａは、図３Ｂと組み合わせて説明される。
【００１５】
光源駆動回路３００は、例えばＡＣ電源などの電源１０２と、電源１０２と整流器１０８との間に接続されたオン／オフスイッチ調光器１０６と、整流器１０８から整流された電圧ＶＲＥＣを受け取って光源１１８への調整された電力を発生させるための電力コンバータ１１２とを備える。有利には、調光コントローラ１１０は、整流器１０８からの整流された電圧ＶＲＥＣを示す信号を受け取って、整流器１０８によって受け取られたＡＣ電圧がオン／オフスイッチ調光器１０６から到来するものであることを判断する。調光コントローラ１１０は、電力コンバータ１１２の出力電力を調整し、従って光源１１８の調光を制御する。
【００１６】
図３Ａの例では、オン／オフスイッチ調光器１０６はスイッチ３０２を備える。スイッチ３０２がオンである場合、ＡＣ入力電圧ＶＩＮは整流器１０８に印加される。整流器１０８は、ＡＣ入力電圧ＶＩＮを、整流された電圧ＶＲＥＣに整流する。整流器１０８は、ＡＣ入力電圧ＶＩＮの負の部分を、対応する正の部分に変換して、整流された電圧ＶＲＥＣを発生させる。
【００１７】
図４は、本発明の一実施形態による、光源駆動回路４００の回路図を示す。図３と同じ符号が付された要素は同様の機能を有する。図４の例では、光源駆動回路４００はＬＥＤ列(LED string)４０８を駆動する。光源駆動回路４００は、種々のタイプの光源を駆動するために使用することができる。整流器１０８は、４個のダイオード４０８とキャパシタＣ７とを含むブリッジ整流器であることができる。電力コンバータ１１２は、インダクタＬ１と、ダイオードＤ１と、スイッとＱ１を備える。スイッチＱ１は、ＬＥＤ列４０８に接続され、調光コントローラ１１０によってターンオンまたはターンオフされる。
【００１８】
一実施形態において、調光コントローラ１１０は制御ブロック１９０を備える。制御ブロック１９０は集積回路であってもよいが、これに限定されない。一実施形態において、制御ブロック１９０は、ピンＶＤＣ，ＲＴ，ＧＮＤ，ＳＯＵＲＣＥ，ＣＬＫ，ＤＥＴＥＣＴ，ＶＳＩＮ，ＨＶ＿ＧＡＴＥ，ＶＤＤ，ＤＲＡＩＮ，ＣＯＭＰ，ＰＷＭＯＦＦ，ＢＬＥＥＤ１，ＢＬＥＥＤ２，ＩＢＬＤ１，ＩＢＬＤ２を備える。検出ピンＤＥＴＥＣＴは、整流された電圧ＶＲＥＣを示す信号を受け取って、上記整流された電圧ＶＲＥＣが、ＴＲＩＡＣ調光器１０４から到来するものであるのか、またはオン／オフスイッチ調光器１０６から到来するものであるのかを検出(detect)する。図４の例では、検出ピンＤＥＴＥＣＴは、キャパシタＣ３および抵抗Ｒ５，Ｒ６を介して整流器１０８の出力に接続される。
【００１９】
入力信号ピンＶＳＩＮは、整流された電圧ＶＲＥＣを示す信号ＶＳＩＮを受け取る。図４の例では、入力信号ピンＶＳＩＮは、抵抗Ｒ７，Ｒ８を介して整流器１０８の出力に接続される。平均信号ピンＶＤＣは、整流された電圧ＶＲＥＣの平均ＶＡＶＧを示す信号ＶＤＣを受け取る。図４の例では、平均信号ピンＶＤＣは、キャパシタＣ２および抵抗Ｒ１，Ｒ２を介して整流器１０８の出力に接続される。
【００２０】
第１ブリード制御ピン(a first bleeding control pin)ＢＬＥＥＤ１は、スイッチＱ２および抵抗Ｒ１２を含む第１電流経路を導通させるためのスイッチＱ２を制御して、もしＴＲＩＡＣ調光器１０４が整流器１０８に接続されていれば、ＴＲＩＡＣ調光器１０４の保持電流を維持させる。更に詳しくは、一実施形態において、ピンＤＥＴＥＣＴによって受け取られる信号が、ＴＲＩＡＣ調光器１０４が整流器１０８に接続されていることを示し、且つ、ピンＶＳＩＮによって受け取られる信号ＶＳＩＮが、ピンＶＤＣによって受け取られる信号ＶＤＣよりも大きければ、スイッチＱ２がターンオンされる。図４の例では、ブリード制御ピンＢＬＥＥＤ１は、感知信号(a sensing signal)に応じて、例えばピンＩＢＬ１によって受け取られる抵抗１２の端子間の電圧に応じて、スイッチＱ２を線形的に制御する。
【００２１】
第２ブリード制御ピン(a second bleeding control pin)ＢＬＥＥＤ２は、スイッチＱ３および抵抗Ｒ１１を含む第２電流経路を導通させるためのスイッチＱ３を制御して、もしＴＲＩＡＣ調光器１０４が整流器１０８に接続されていれば、ＴＲＩＡＣ調光器１０４の保持電流を維持させる。更に詳しくは、一実施形態において、ピンＤＥＴＥＣＴによって受け取られる信号が、ＴＲＩＡＣ調光器１０４が整流器１０８に接続されていることを示し、且つ、ピンＶＳＩＮによって受け取られる信号ＶＳＩＮが、ピンＶＤＣによって受け取られる信号ＶＤＣよりも小さければ、スイッチＱ３がターンオンされる。図４の例では、ブリード制御ピンＢＬＥＥＤ２は、感知信号に応じて、例えばＩＢＬＤ２によって受け取られる抵抗Ｒ１１の端子間の電圧に応じて、スイッチＱ３を線形的に制御する。
【００２２】
ピンＣＬＫは、もしオン／オフスイッチ調光器１０６が整流器１０８に接続されていれば、オン／オフスイッチ調光器１０６の動作を示すスイッチモニタ信号を受け取る。図４の例では、ピンＣＬＫは、キャパシタＣ１および抵抗Ｒ３，Ｒ４を介して整流器１０８の出力に接続される。もしオン／オフスイッチ調光器１０６が整流器１０８に接続されていれば、抵抗Ｒ４の端子間の電圧は、オン／オフスイッチ調光器１０６がターンオフするとゼロに低下する。従って、オン／オフスイッチ調光器１０６のターンオフ動作を示すスイッチモニタ信号がピンＣＬＫによって検出される。抵抗Ｒ４の端子間の電圧は、オン／オフスイッチ調光器１０６がターンオンされれば、所定の電圧に上昇する。従って、オン／オフスイッチ調光器１０６のターンオン動作を示すスイッチモニタ信号がピンＣＬＫによって検出される。
【００２３】
さらに、ピンＨＶ＿ＧＡＴＥはスイッチＱ１を制御する。動作において、もし、オン／オフスイッチ調光器１０６が利用され、且つ、オン／オフスイッチ調光器１０６のターンオン動作がピンＣＬＫで検出されれば、制御ブロック１９０はスイッチＱ１をターンオンさせる。もしオン／オフスイッチ調光器１０６のターンオフ動作がピンＣＬＫで検出されれば、制御ブロック１９０は、インダクタＬ１が放電を完了した後にＬＥＤ列４０８がターンオフされるように、スイッチＱ１をターンオフさせる。ピンＶＤＤは、制御ブロック１９０に電力を供給するためのものであり、スイッチＱ１に接続されている。ピンＤＲＡＩＮはスイッチＱ１に接続されている。ピンＳＯＵＲＣＥは抵抗Ｒ１３に接続されている。ピンＣＯＭＰはキャパシタＣ５に接続されている。ピンＧＮＤは接地されている。ピンＲＴは、制御ブロック１９０によって発生される周波数信号の周波数を判定するためのものであり、抵抗Ｒ１４を介して接地されている。
【００２４】
図５は、本発明の一実施形態による図４における制御ブロック１９０の例を示す。図５は、図４と組み合わせて説明される。
【００２５】
制御ブロック１９０は、ピンＤＲＡＩＮとピンSOURＣＥとの間に接続されたスイッチＱ４を制御してＬＥＤ列４０８の電流を制御するためのドライバ５１６と、整流された電圧ＶＲＥＣを示す入力信号ＶＳＩＮと整流された電圧ＶＲＥＣの平均ＶＡＶＧを示す平均信号ＶＤＣとを比較してパルス幅変調信号ＬＰＷＭを発生させるための比較器５１４と、ピンＣＬＫに接続され、オン／オフスイッチ調光器１０６の動作に応答してＬＥＤ列４０８の光度を調整するためのマルチレベル調光器５３８と、整流された電圧ＶＲＥＣをモニタするための電圧検出器５４０と、図４に示されたスイッチＱ２および抵抗Ｒ１２を含む第１電流経路を制御するために誤差増幅器５５０を制御するためのブリードコントローラ５４２と、図４に示されたスイッチＱ３および抵抗Ｒ１１を含む第２電流経路を制御するために誤差増幅器５５２を制御するためのブリードコントローラ５４６とを備える。制御ブロック１９０は、さらに、過熱保護ユニット５０２と、短絡保護ユニット５０４と、過電流保護ユニット５０６と、低電圧誤動作防止ユニット(under-voltage lockout unit)５１０とを備える。
【００２６】
図５の例では、制御ブロック１９０は、電圧検出器５４０、クロック５３２、カウンタ５３４、比較器５３６を使用することにより、整流された電圧ＶＲＥＣがＴＲＩＡＣ調光器１０４から到来したものであるか、またはオン／オフスイッチ調光器１０６から到来したものであるかどうかを判断する。図６は、本発明の一実施形態による、整流された電圧ＶＲＥＣがＴＲＩＡＣ調光器１０４から到来したものであるか、またはオン／オフスイッチ調光器１０６から到来したものであるかどうかを判断するための方法例のフローチャートを示す。図６は図５と組み合わせて説明される。
【００２７】
ブロック６０２において、電圧検出器５４０は、検出ピンＤＥＴＥＣＴを介して、整流された電圧ＶＲＥＣを示す信号を受け取ることにより、整流された電圧ＶＲＥＣをモニタする。ブロック６０４において、もし上記整流された電圧ＶＲＥＣが第１プリセット電圧Ｖ１よりも大きければ、フローチャートはブロック６０６に進み、電圧検出器５４０がクロック５３２を有効化(enable)してカウンタ５３４を駆動する。ブロック６０８において、クロック５３２によって発生される各クロックパルスに応答して、カウンタ５３４のカウンタ値が１ずつ増加する。ブロック６１０において、もし整流された電圧ＶＲＥＣが第２プリセット電圧Ｖ２よりも小さければ、フローチャートはブロック６０８に進む。ブロック６１０において、もし整流された電圧ＶＲＥＣの電圧が第２プリセット電圧Ｖ２よりも大きければ、フローチャートはブロック６１２に進み、電圧検出器５４０がクロック５３２を無効化(disable)する。ブロック６１４において、比較器５３６によってカウンタ値が参照値ＣＮＴと比較される。ブロック６１６において、もしカウンタ値が参照値ＣＮＴよりも大きければ、比較器５３６は、整流された電圧ＶＲＥＣがオン／オフスイッチ調光器１０６から到来するものであることを示す選択信号を発生させる。ブロック６１８において、もしカウンタ値が参照値ＣＮＴに等しいか参照値ＣＮＴよりも小さければ、比較器５３６は、整流された電圧ＶＲＥＣがＴＲＩＡＣ調光器１０４から到来するものであることを示す選択信号を発生させる。
【００２８】
図５を参照すると、一実施形態において、もし制御ブロック１９０が、整流された電圧ＶＲＥＣがオン／オフスイッチ調光器１０６から到来するものであると判断すると、ＳＲフリップフロップ５２８、ブリードコントローラ５４２、誤差増幅器５５０、ブリードコントローラ５４６、誤差増幅器５５２が無効化(disable)される。マルチレベル調光器５３８は有効化(enable)されて、オン／オフスイッチ調光器１０６の動作に従って調光信号ＡＤＪを出力する。マルチレベル調光器５３８は、ピンＣＬＫを介してオン／オフスイッチ調光器１０６の動作を示すスイッチモニタ信号を受け取る。例えば、調光信号ＡＤＪの電圧は、オン／オフスイッチ調光器１０６のターンオフ動作に応答して、第１レベルから第２レベルに減少する。増幅器５３０は、調光信号ＡＤＪを、電流感知ピンＳＯＵＲＣＥから受け取った感知信号ＳＥＮと比較する。感知信号ＳＥＮはＬＥＤ列４０８の電流を示す。サンプルホールド回路５２０は、増幅器５３０の出力を受け取る。比較器５１８は、発振器５２４によって発生された鋸歯状信号ＳＡＷを、サンプルホールド回路５２０の出力と比較することにより、スイッチＱ４を制御するための制御信号ＣＮＴＬ１を発生させる。比較器５１４は、入力信号ピンＶＳＩＮおよび平均信号ピンＶＤＣに接続され、整流された電圧ＶＲＥＣを示す入力信号ＶＳＩＮを、整流された電圧ＶＲＥＣの平均ＶＡＶＧを示す平均信号ＶＤＣと比較して、パルス幅変調信号ＬＰＷＭを発生させる。一実施形態において、もしＶＳＩＮがＶＤＣよりも大きければ、パルス幅変調信号ＬＰＷＭは第１ステート（例えば論理１）にあり、スイッチＱ４は比較器５１８の出力によって制御される。さらに詳しくは、一実施形態おいて、もしサンプルホールド回路５２０の出力が鋸歯状信号ＳＡＷよりも大きければ、比較器５１８は、第１ステート（例えば論理１）の制御信号ＣＴＲＬ１を発生させてスイッチＱ４をターンオンさせる。もしサンプルホールド回路５２０の出力が鋸歯状信号ＳＡＷよりも小さければ、比較器５１８は、第２ステート（例えば論理０）の制御信号ＣＴＲＬ１を発生させてスイッチＱ４をターンオフさせる。従って、パルス幅変調信号ＬＰＷＭが第１ステートにある場合、制御信号ＣＴＲＬ１のデューティサイクルは調光信号ＡＤＪに従って変化し、この調光信号ＡＤＪは、さらに、オン／オフスイッチ調光器１０６の動作を示すスイッチモニタ信号によって決定される。
【００２９】
もしＶＳＩＮがＶＤＣよりも小さければ、パルス幅変調信号ＬＰＷＭは第２ステート（例えば論理０）にあり、スイッチＱ４は、パルス幅変調信号ＬＰＷＭの第２ステートの期間中、オフに維持される。換言すれば、スイッチＱ４は、パルス幅変調信号ＬＰＷＭの第１ステートの期間中、制御信号ＣＮＴＲＬ１に従って、そのターンオンおよびターンオフが交互に実施され、そして、スイッチＱ４は、パルス幅変調信号ＬＰＷＭの第２ステートの期間中、オフ状態に維持される。
【００３０】
一実施形態において、もし、制御ブロック１９０が、整流された電圧ＶＲＥＣがＴＲＩＡＣ調光器１０４から到来するものであると判断すれば、マルチレベル調光器５３８、増幅器５３０、サンプルホールド回路５２０、比較器５１８は無効化(disable)される。ＳＲフリップフロップ５２８、ブリードコントローラ５４２、誤差増幅器５５０、ブリードコントローラ５４６、誤差増幅器５５２は有効化(enable)される。
【００３１】
比較器５１４は、整流された電圧ＶＲＥＣを示す入力信号ＶＳＩＮを、整流された電圧ＶＲＥＣの平均ＶＡＶＧを示す平均信号ＶＤＣと比較して、パルス幅変調信号ＬＰＷＭを発生させる。もしＶＳＩＮがＶＤＣよりも大きければ、パルス幅変調信号ＬＰＷＭは第１ステート（例えば論理１）にある。パルス幅変調信号ＬＰＷＭの第１ステートの期間中、図４に示されるスイッチＱ１はオン状態であり、スイッチＱ４は、ＳＲフリップフロップ５２８の出力ＣＴＲＬ２によって制御される。さらに詳しくは、ＳＲフリップフロップ５２８のＳ入力は、発振器５２４によって発生されるパルス信号ＰＵＬＳＥを受け取る。ＳＲフリップフロップ５２８は、パルス信号の各パルスに応答して論理１を出力してスイッチＱ４をターンオンさせる。比較器５２６は、参照信号ＲＥＦ３を、電流感知ピンＳＯＵＲＣＥから受け取った感知信号ＳＥＮと比較する。参照信号ＲＥＦ３は、ＬＥＤ列４０８の電流のピークレベルを定める。感知信号ＳＥＮは、スイッチＱ４がオン状態のときのＬＥＤ列４０８の電流を示す。もし感知信号ＳＥＮがＲＥＦ３に増加すれば、比較器５２６は、ＳＲフリップフロップ５２８がスイッチＱ４をターンオフするために論理０を出力するように、ＳＲフリップフロップ５２８のＲ入力に論理１を発生させる。もしＶＳＩＮがＶＤＣよりも小さければ、パルス幅変調信号ＬＰＷＭは第２ステート（例えば論理０）にあり、スイッチＱ１およびＱ４がターンオフされる。換言すれば、スイッチＱ４は、パルス幅変調信号ＬＰＷＭの第１ステートの期間中、ＳＲフリップフロップ５２８の出力に従って、そのターンオンおよびターンオフが交互に実施され、そして、スイッチＱ４は、パルス幅変調信号ＬＰＷＭの第２ステートの期間中、オフ状態に維持される。
【００３２】
ブリードコントローラ５４２は、ピンＢＬＥＥＤ１と誤差増幅器５５０との間に接続されたスイッチ５４８をターンオンさせて、パルス幅変調信号ＬＰＷＭの第１ステートの期間中、（図４に示される）スイッチＱ２および抵抗Ｒ１２を含む第１電流経路を導通させる。このように、スイッチＱ２および抵抗Ｒ１２を通じて整流器１０８から接地（グランド）に電流が流れる。誤差増幅器５５０は、参照信号ＲＥＦ１と、抵抗Ｒ１２の端子間の電圧を示す感知信号とを受け取り、そして、スイッチＱ２および抵抗Ｒ１２を通じて流れる電流をＴＲＩＡＣ調光器１０４の保持電流以上に維持させるように、線形的にスイッチ５４８を制御する。
【００３３】
ブリードコントローラ５４６は、ピンＢＬＥＥＤ２と誤差増幅器５５２との間に接続されたスイッチ５５４をターンオンさせて、パルス幅変調信号ＬＰＷＭの第２ステートの期間中、（図４に示される）スイッチＱ３および抵抗Ｒ１１を含む第２電流経路を導通させるように機能する。このように、スイッチＱ３および抵抗Ｒ１１を通じて整流器１０８から接地（グランド）に電流が流れる。誤差増幅器５５２は、参照信号ＲＥＦ１と、抵抗Ｒ１１の端子間の電圧を示す感知信号とを受け取り、スイッチＱ３および抵抗Ｒ１１を通じて流れる電流をＴＲＩＡＣ調光器１０４の保持電流以上に維持させるように、スイッチ５５４を線形的に制御する。さらに、一実施形態において、ブリードコントローラ５４６は、ピンＰＷＭＯＦＦから設定信号(a setting signal)を受け取る。この設定信号は、パルス幅変調信号ＬＰＷＭの最小デューティサイクルＤＭＩＮを定める。もしデューティサイクルが最小デューティサイクルＤＭＩＮに減少すれば、制御ブロック１９０はスイッチＱ４をターンオフさせ、ブリードコントローラ５４６は第２電流経路を導通させる。従って、一実施形態において、次の状態の何れかが発生したとき、即ち、パルス幅変調信号ＬＰＷＭが第２ステートにあるとき、または、パルス幅変調信号ＬＰＷＭのデューティサイクルが最小デューティサイクルＤＭＩＮに減少したとき、ブリードコントローラ５４６は、スイッチ５５４をターンオンさせて第２電流経路を導通させる。
【００３４】
パルス幅変調信号ＬＰＷＭが第１ステートにある場合、スイッチＱ４は、そのターンオンおよびターンオフが交互に実施される。従って、パルス幅変調信号ＬＰＷＭの第１ステートの期間中、ＬＥＤ列４０８を通じて接地（グランド）に電流が流れる。制御ブロック１９０は、ＴＲＩＡＣ調光器１０４の保持電流を維持するために第１電流経路を導通させるように機能する。パルス幅変調信号ＬＰＷＭが第２ステートにある場合、スイッチＱ４はオフ状態を維持する。従って、パルス幅変調信号ＬＰＷＭの第２ステートの期間中、ＬＥＤ列４０８を通じて接地（グランド）に電流は流れない。制御ブロック１９０は、ＴＲＩＡＣ調光器１０４の保持電流を維持するために第２電流経路を導通させるように機能する。このようにして、ＴＲＩＡＣ調光器１０４の同一の保持電流を維持するために、パルス幅変調信号ＬＰＷＭの第１ステートの期間中、第１電流経路を通じて流れるブリード電流(bleeding current)は、パルス幅変調信号ＬＰＷＭの第２ステートの期間中、第２電流経路を通じて流れるブリード電流よりも小さい。図４の例は、二つの電流経路、即ち、スイッチＱ２および抵抗Ｒ１２を含む電流経路と、スイッチＱ３および抵抗Ｒ１１を含む電流経路を示すが、本発明はこれに限定されない。他の実施形態では、ＴＲＩＡＣ調光器１０４の保持電流を維持するために、一つの電流経路が採用され得る。
【００３５】
図５の例において説明したように、一実施形態において、ＴＲＩＡＣ調光器１０４が使用される場合には、光源１１８の調光は、整流された電圧ＶＲＥＣを示す入力信号ＶＳＩＮを、整流された電圧ＶＲＥＣの平均ＶＡＶＧを示す平均信号ＶＤＣと比較することにより制御される。或いは、ＴＲＩＡＣ調光器１０４が使用される場合には、光源１１８の調光は、整流された電圧ＶＲＥＣの導通角(conducting angle)を計算することにより制御されることもできる。
【００３６】
動作の期間中、もし、過熱、短絡、または過電流などの何らかの異常な状況が検出されれば、過熱保護ユニット５０２、短絡保護ユニット５０４、または過電流保護ユニット５０６は、スイッチＱ４をターンオフさせるために、ＡＮＤゲート５０８，５１２を介して、例えば論理０の制御信号を発生させてドライバ５１６に与えることができる。
【００３７】
図７Ａは、本発明の一実施形態による第１モード、即ちオン／オフスイッチ調光モードで動作する図４における調光コントローラに関連した信号の波形を示す。さらに詳しくは、図７Ａは、オン／オフスイッチ調光器１０６が利用される場合のスイッチ３０２の状態、整流器１０８からの整流された電圧ＶＲＥＣ、比較器５１４により発生されるパルス幅変調信号ＬＰＷＭ、マルチレベル調光器５３８により発生される調光信号ＡＤＪ、発振器５２４により供給される鋸歯状信号ＳＡＷ、サンプルホールド回路５２０の出力Ｖ５２０、比較器５１８により発生される制御信号ＣＴＲＬ１を示す。図７Ａは、図４および図５と組み合わせて説明される。
【００３８】
動作の期間中、スイッチ３０２はオン状態であり、比較器５１４は、整流された電圧ＶＲＥＣを示す入力信号ＶＳＩＮを、整流された電圧ＶＲＥＣの平均ＶＡＶＧを示す平均信号ＶＤＣと比較して、パルス幅変調信号ＬＰＷＭを発生させる。一実施形態において、もしＶＳＩＮがＶＤＣよりも大きければ、パルス幅変調信号ＬＰＷＭは第１ステート（例えば論理１）にある。もしＶＳＩＮがＶＤＣよりも小さければ、パルス幅変調信号ＬＰＷＭは第２ステート（例えば論理０）にある。発振器５２４は鋸歯状信号ＳＡＷを供給する。パルス幅変調信号ＬＰＷＭが第１ステートにある場合、比較器５１８は、鋸歯状信号ＳＡＷをサンプルホールド回路５２０の出力Ｖ５２０と比較することにより、（図４における）スイッチＱ４のターンオンおよびターンオフを交互に実施させるための制御信号ＣＴＲＬ１を発生させる。一実施形態において、Ｖ５２０は調光信号ＡＤＪに比例し、この調光信号ＡＤＪは、マルチレベル調光器５３８によって発生される。一実施形態において、もしサンプルホールド回路５２０の出力が鋸歯状信号よりも大きければ、比較器５１８は、第１ステート（例えば論理１）の制御信号ＣＴＲＬ１を発生させてスイッチＱ４をターンオンさせる。もしサンプルホールド回路５２０の出力が鋸歯状信号よりも小さければ、比較器５１８は、第２ステート（例えば論理０）の制御信号ＣＴＲＬ１を発生させてスイッチＱ４をターンオフさせる。パルス幅変調信号ＬＰＷＭが第２ステートにあれば、制御信号ＣＴＲＬ１はゼロであり、従ってスイッチＱ４はオフ状態を維持する。
【００３９】
もしスイッチ３０２がターンオフされれば、オン／オフスイッチ調光器１０６のターンオフ動作を示すスイッチモニタ信号が、ピンＣＬＫを介してマルチレベル調光器５３８によって受け取られる。従って、一実施形態において、スイッチ３０２が再びターンオンされれば、マルチレベル調光器５３８は、調光信号ＡＤｊの電圧を第１レベルから第２レベルに減少させる。従ってサンプルホールド回路５２０の出力Ｖ５２０の電圧は減少する。その結果、制御信号ＣＴＲＬ１のデューティサイクルが減少される。よって、ＬＥＤ列４０８の光度が低減される。換言すれば、オン／オフスイッチ調光器１０６が使用される場合には、制御信号ＣＴＲＬ１のデューティサイクルは、調光信号ＡＤＪに応じて変わり、この調光信号ＡＤＪは、さらに、ピンＣＬＫによって受け取られるスイッチモニタ信号により定められる。
【００４０】
図７Ｂは、本発明の一実施形態による第２モード、即ちＴＲＩＡＣ調光モードで動作する図４における調光コントローラに関連した信号の波形を示す。さらに詳しくは、図７Ｂは、ＴＲＩＡＣ調光器１０４が利用される場合の整流器１０８からの整流された電圧ＶＲＥＣ、比較器５１４によって発生されるパルス幅変調信号ＬＰＷＭ、制御ブロック１９０の電流感知ピンＳＯＵＲＣＥから受け取られる感知信号ＳＥＮ、発振器５２４により供給されるパルス信号ＰＵＬＳＥ、ＳＲフリップフロップ５２８の出力ＣＴＲＬ２を示す。図７Ｂは、図４および図５と組み合わせて説明される。
【００４１】
一実施形態において、比較器５１４は、整流された電圧ＶＲＥＣを示す入力信号ＶＳＩＮを、整流された電圧ＶＲＥＣの平均ＶＡＶＧを示す平均信号ＶＤＣと比較してパルス幅変調信号ＬＰＷＭを発生させる。もしＶＳＩＮがＶＤＣよりも大きければ、パルス幅変調信号ＬＰＷＭは第１ステート（例えば論理１）にある。もしＶＳＩＮがＶＤＣよりも小さければ、パルス幅変調信号ＬＰＷＭは第２ステート（例えば論理０）にある。発振器５２４はパルス信号ＰＵＬＳＥを供給する。一実施形態において、ＳＲフリップフロップ５２８の出力ＣＴＲＬ２は、パルス信号における各パルスに応答して論理１になる。もしスイッチＱ４がターンオンされれば、ＬＥＤ列４０８を通じて流れる電流は、感知信号ＳＥＮが増加するように、増加する。もし感知信号ＳＥＮがＲＥＦ３にまで増加すれば、比較器５２６は、ＳＲフリップフロップ５２８の出力ＣＴＲＬ２が論理０に切り替わるように、ＳＲフリップフロップ５２８のＲ入力に論理１を発生させる。
【００４２】
もし、利用者が、トライアック２０６の導通時間を短縮するようにＴＲＩＡＣ調光器１０４を調整すれば、パルス幅変調信号ＬＰＷＭのデューティサイクルが減少する。その結果、ＬＥＤ列４０８の光度が減少する。従って、ＴＲＩＡＣ調光器１０４が使用される場合には、ＬＥＤ列４０８の光度は、整流された電圧ＶＲＥＣに応じて変わる。図７Ｂの例では、パルス幅変調信号ＬＰＷＭは、整流された電圧ＶＲＥＣを示す入力信号ＶＳＩＮを、整流された電圧ＶＲＥＣの平均ＶＡＶＧを示す平均信号ＶＤＣと比較することにより得られる。別の実施形態では、ＴＲＩＡＣ調光器１０４が使用される場合には、パルス幅変調信号ＬＰＷＭは、また、整流された電圧ＶＲＥＣの導通角を計算(calculate)することにより得ることができる。例えば、パルス幅変調信号ＬＰＷＭは、整流された電圧ＶＲＥＣの導通角の期間中、第１ステート（例えば論理１）にある。そうでなければ、パルス幅変調信号ＬＰＷＭは第２ステート（例えば論理０）にある。
【００４３】
従って、本発明による実施形態は、光源の調光を制御するための回路および方法を提供する。調光コントローラは、ＴＲＩＡＣ調光器またはオン／オフスイッチ調光器が電源と電力コンバータとの間に接続されているかどうかを検出することができる。もし調光器のタイプが検出されれば、調光コントローラは、従って光源の調光を制御する。例えば、もしＴＲＩＡＣ調光器が検出されれば、調光コントローラは、ＴＲＩＡＣ調光器の動作に従って調光を制御する。もしオン／オフスイッチ調光器が検出されれば、調光コントローラは、オン／オフスイッチ調光器の動作に従って調光を制御する。有利には、調光コントローラは異なるタイプの調光器に適合されることができ、従ってその柔軟性が強化される。
【００４４】
上述の説明および図面は本発明の実施形態を表すが、添付の特許請求の範囲に規定された本発明の原理の範囲および精神を逸脱することなく、種々の付加、変形、代替をなし得ることが理解されるであろう。当業者であれば、本発明は、本発明の実施において使用される形式、構造、配列、比率、材料、要素、構成要素、その他のを多様に変形して使用されてもよく、それは、本発明の原理を逸脱することなく、特定の環境および動作要件に部分的に適合されることが分かるであろう。従って、ここに開示した実施形態は、全ての観点で例示的なものであって制限的なものではなく、本発明の範囲は、添付の特許請求の範囲と、それらの均等物によって示され、前述の説明に限定されるものではない。
【符号の説明】
【００４５】
１００…光源駆動回路
１０２…電源
１０４…ＴＲＩＡＣ調光器
１０６…オン／オフスイッチ調光器
１０８…整流器
１１０…調光コントローラ
１１２…電力コンバータ
１１４…電流経路
１１８…光源
１９０…制御ブロック
【図１】
0005588843.tif 000002
【図２Ａ】
0005588843.tif 000003
【図２Ｂ】
0005588843.tif 000004
【図３Ａ】
0005588843.tif 000005
【図３Ｂ】
0005588843.tif 000006
【図４】
0005588843.tif 000007
【図５】
0005588843.tif 000008
【図６】
0005588843.tif 000009
【図７Ａ】
0005588843.tif 000010
【図７Ｂ】
0005588843.tif 000011